(57)【要約】      （修正有）【課題】置く角度を調整することができる保護カバーを提供する。【解決手段】電子機器３に取り付けられ、背蓋１と、遮蔽片２とからなる。背蓋は、電子機器の背部に取り付けられ、背蓋は四辺形を呈するとともに、折線１２を備え、背蓋は、折線を中心として、固定領域と折り曲げ領域１４とに分けられ、背蓋における固定領域の二つの角の位置には、それぞれ、第一係合部１５が設けられ、背蓋における固定領域の二つの角の位置に対応する側の側辺には、それぞれ、第二係合部１６が設けられ、背蓋における折り曲げ領域の二つの角の位置には、それぞれ、補助係合部が設けられる。固定領域及び第一係合部と第二係合部は、電子機器に固定して結合され、折り曲げ領域及び補助係合部は、電子機器に可動に結合される。遮蔽片は、背蓋の側辺に連結され、遮蔽片及び背蓋が連結された側辺と折線は平行を呈する。【選択図】図７
0003174929.tif 000002
【実用新案登録請求の範囲】
【請求項１】
電子機器に取り付けられる、置く角度を調整することができる保護カバーであって、
前記保護カバーは、背蓋と、遮蔽片とからなり、
前記背蓋は、前記電子機器の背部に取り付けられ、前記背蓋は四辺形を呈するとともに、折線を備え、前記背蓋は、前記折線を中心として、固定領域と折り曲げ領域とに分けられ、前記背蓋における前記固定領域の二つの角の位置には、それぞれ、第一係合部が設けられ、前記背蓋における前記固定領域の二つの角の位置に対応する側の側辺には、それぞれ、第二係合部が設けられ、
前記背蓋における前記折り曲げ領域の二つの角の位置には、それぞれ、補助係合部が設けられ、前記固定領域及び前記第一係合部と第二係合部は、前記電子機器に固定して結合され、前記折り曲げ領域及び前記補助係合部は、前記電子機器に可動に結合され、
前記遮蔽片は、前記背蓋の側辺に連結され、遮蔽片及び背蓋が連結された側辺と前記折線は平行を呈することを特徴とする、置く角度を調整することができる保護カバー。
【請求項２】
前記背蓋には、少なくとも一つの開孔が設けられることを特徴とする、請求項１に記載の置く角度を調整することができる保護カバー。
【請求項３】
前記遮蔽片には複数の係合溝が設けられ、前記係合溝と前記背蓋の折線は平行を呈することを特徴とする、請求項１に記載の置く角度を調整することができる保護カバー。
【請求項４】
電子機器に取り付けられる、置く角度を調整することができる保護カバーであって、
前記保護カバーは、背蓋と、遮蔽片とからなり、
前記背蓋は、前記電子機器の背部に取り付けられ、前記背蓋は四辺形を呈するとともに、折線を備え、前記背蓋は、前記折線を中心として、固定領域と折り曲げ領域とに分けられ、前記背蓋における前記固定領域の二つの角の位置には、それぞれ、第一係合部が設けられ、前記背蓋における前記固定領域の二つの角の位置に対応する側の側辺には、それぞれ、第二係合部が設けられ、前記背蓋における前記折り曲げ領域には少なくとも一つの磁性部材が設けられ、前記固定領域及び前記第一係合部と第二係合部は、前記電子機器に固定して結合され、前記折り曲げ領域及び磁性部材は、前記電子機器に可動に結合され、
前記遮蔽片は、前記背蓋の側辺に連結され、遮蔽片及び背蓋が連結された側辺と前記折線は平行を呈することを特徴とする、置く角度を調整することができる保護カバー。
【請求項５】
前記背蓋には、少なくとも一つの開孔が設けられることを特徴とする、請求項４に記載の置く角度を調整することができる保護カバー。
【請求項６】
前記遮蔽片には複数の係合溝が設けられ、前記係合溝と前記背蓋の折線は平行を呈することを特徴とする、請求項４に記載の置く角度を調整することができる保護カバー。
【考案の詳細な説明】
【技術分野】
【０００１】
本考案は置く角度を調整することができる保護カバーに関し、特に、背蓋と遮蔽片を連結し、背蓋に折線を設けることで背蓋を固定領域と折り曲げ領域に分け、それにより背蓋に折り曲げ効果をもたせた、置く角度を調整することができる保護カバーに関する。
【背景技術】
【０００２】
タブレットＰＣに用いられる従来の保護商品（例えば、保護皮カバー）は、主に、材体（例えば、皮革、ウレタンフォームや、その他の材質）から収納袋を形成させてなる。タブレットＰＣを保護皮カバー内に収容することで、使用者がタブレットＰＣを携帯する時、保護皮カバーに完全に覆われているため、タブレットＰＣの耐震度を強化することができる。それと同時に、タブレットＰＣが隔絶され、外部のその他の物品とぶつかったり摩擦がおきたりしなくなり、タブレットＰＣの外観が破損したり傷ついたりするのを防ぐことができる。
【０００３】
しかしながら、タブレットＰＣの収納に用いられる従来の保護皮カバーは、タブレットＰＣを完全に覆いタブレットＰＣの耐震度を強化するとともに、タブレットＰＣの外観が破損したり傷ついたりするのを防ぐことができるものの、従来の保護皮カバーを使用すると、タブレットＰＣを保護皮カバー内に収納する動作、或いは、タブレットＰＣを保護皮カバー内から取り出す動作を反復して行わなければならないため、使用する上で利便性が低い。また、タブレットＰＣを保護皮カバー内から取り出した時、前記保護皮カバーとタブレットＰＣが分離していると、保護皮カバーを紛失してしまう可能性が極めて高くなる。それ以外にも、タブレットＰＣは、マルチメディア（例えば、音楽、映像、映画、その他の映像音楽コンテンツ）の再生を行うことができるが、従来の保護皮カバーは、タブレットＰＣを直立して置くのを支える機能を有していないので、使用者は、手で長時間タブレットＰＣを支えなければならず、使用者の手やその他の部位が痛くなったり、疲れたりすることになるという欠点がある。
【考案の概要】
【考案が解決しようとする課題】
【０００４】
そこで、本考案は、置く角度を調整することができる保護カバーを提供することを目的とする。
【課題を解決するための手段】
【０００５】
本考案による置く角度を調整することができる保護カバーは、電子機器に取り付けられる。前記保護カバーは、背蓋と、遮蔽片とからなる。前記背蓋は、前記電子機器の背部に取り付けられ、前記背蓋は四辺形を呈するとともに、折線を備え、前記背蓋は、前記折線を中心として、固定領域と折り曲げ領域とに分けられ、前記背蓋における前記固定領域の二つの角の位置には、それぞれ、第一係合部が設けられ、前記背蓋における前記固定領域の二つの角の位置に対応する側の側辺には、それぞれ、第二係合部が設けられ、前記背蓋における前記折り曲げ領域の二つの角の位置には、それぞれ、補助係合部が設けられる。前記固定領域及び前記第一係合部と第二係合部は、前記電子機器に固定して結合され、前記折り曲げ領域及び前記補助係合部は、前記電子機器に可動に結合される。前記遮蔽片は、前記背蓋の側辺に連結され、遮蔽片及び背蓋が連結された側辺と前記折線は平行を呈する。
【考案の効果】
【０００６】
背蓋を電子機器の背部に取り付け、遮蔽片を背蓋の正面に配置させたとき、遮蔽片は電子機器の表面を覆うことができ、電子機器を完全に覆うことができる以外に、使用する際は、遮蔽片を開くだけで、電子機器を操作することができる。電子機器を直立させて置く時は、背蓋の折り曲げ領域を電子機器の背部の方向に折り曲げ、折り曲げ領域と電子機器を分離させると、背蓋の折り曲げ領域を電子機器が直立に置かれた時の支えとして用いることができる。また、折り曲げ領域の折り曲げ角度を調整することにより、電子機器を直立に置いた時の傾斜角度を制御することができる。それにより、電子機器を直立させて置く効果を兼ね備えさせることができる。
【図面の簡単な説明】
【０００７】
【図１】本考案の保護カバーを展開させた状態を示した斜視図である。
【図２】本考案の保護カバーの応用実施例を示した説明図である。
【図３】本考案の保護カバーの一つ目の実施状態を示した説明図である。
【図４】本考案の保護カバーの二つ目の実施状態を示した説明図である。
【図５】本考案の保護カバーの別の実施形態の一つ目の実施状態を示した説明図である。
【図６】本考案の保護カバーの別の実施形態の二つ目の実施状態を示した説明図である。
【図７】本考案の保護カバーの別の実施形態の三つ目の実施状態を示した説明図である。
【考案を実施するための形態】
【０００８】
図１から図４に示すように、本考案による置く角度を調整することができる保護カバーは、主に、電子機器３に取り付けられる。保護カバーは、背蓋１と遮蔽片２とからなる。
【０００９】
背蓋１は、電子機器３の背部に取り付けられ、背蓋１は四辺形を呈し、背蓋１は、同じ形状の電子機器３の背部に取り付けられる。また、背蓋１の四つの側辺は、それぞれ、上に延伸して側壁１１を形成し、その本体には、折線１２が設けられ、本体は、折線１２を中心にして、固定領域１３と、折り曲げ領域１４とに分けられる。また、背蓋１における固定領域１３の二つの角の位置には、それぞれ、第一係合部１５が設けられ、その二つに対応する側辺には、それぞれ、第二係合部１６が設けられる。また、背蓋１は、電子機器３の機能部材が配置された位置（例えば、カメラのレンズ或いはスピーカーなどの機能部材の配置位置）に応じて、少なくとも一つの開孔１９が設けられる。
【００１０】
遮蔽片２は、背蓋１の内の一側辺に連結され、遮蔽片２は、ひっくり返す方式で、背蓋１の正面或いは背面に配置される。また、遮蔽片２には、複数の係合溝２１が設けられる。また、遮蔽片２及び背蓋１が連結する側辺と、折線１２は平行であり、遮蔽片２の係合溝２１と折線１２も平行である。
【００１１】
また、背蓋１における折り曲げ領域１４の二つの角の位置には、それぞれ、補助係合部１７が設けられる。或いは、背蓋１における折り曲げ領域１４には、少なくとも一つの磁性部材１８が設けられる（図５に図示）。
【００１２】
背蓋１の固定領域１３に設けられた第一係合部１５と第二係合部１６を、それぞれ、電子機器３の辺縁に係合することで、固定領域１３、及び、第一係合部１５と第二係合部１６は、電子機器３に固定して結合される。また、背蓋１の折り曲げ領域１４に設けられた補助係合部１７を電子機器３の辺縁に結合することで、折り曲げ領域１４及び補助係合部１７は、電子機器３に可動に結合される（図３、図４に図示）。或いは、背蓋１の折り曲げ領域１４に設けられた磁性部材１８によって、電子機器３に吸着させることができ、それにより、折り曲げ領域１４及び磁性部材１８は、電子機器３に可動に結合される（図５と図６に図示）。
【００１３】
以上の構造により、背蓋１を電子機器３の背部に取り付けた時、背蓋１に設けられた側壁１１により電子機器３の周辺が覆われる。また、遮蔽片２を背蓋１の正面に配置させた時、遮蔽片２は電子機器３の表面を覆う。それにより、電子機器３を完全に覆うことができ、電子機器３の耐震度を強化するとともに、電子機器３の外観が破損したり傷ついたりするのを防ぐことができる。それと同時に、使用する時は、遮蔽片２を開けるだけで、電子機器３に対して操作を行うことができ、使用上の利便性を備えさせることができる。また、背蓋１と遮蔽片２を相互に連結させることにより、背蓋１と遮蔽片２が分離した状態では遮蔽片２を紛失してしまいやすいという状況を防ぐことができる。
【００１４】
また（図４、図５、及び、図７に図示）、電子機器３を直立させて置く時は、背蓋１を折線１２の位置に沿って折り曲げる（即ち、背蓋１の折り曲げ領域１４を電子機器３の背部の方向に折り曲げる）。それにより、折り曲げ領域１４と電子機器３が分離され、背蓋１の折り曲げ領域１４を、電子機器３が直立に置かれた時の支えとして用いることができる。この時、電子機器３における背蓋１から離れた側の側辺は、遮蔽片２に配置されるとともに、係合溝２１の内の一つの内部に位置決めされ、折り曲げ領域１４の折り曲げ角度を調整することにより、電子機器３直立させて置く時の傾斜角度を調整することができる。このように、本考案は、電子機器３を直立させて置く効果を達成することができる。
【００１５】
上述の内容をまとめると、本考案の技術の特徴は、背蓋１と遮蔽片２を相互に連結させるとともに、背蓋１に折線１２を設けて固定領域１３と折り曲げ領域１４に分けることで、背蓋１は折り曲げ効果を有することができる。電子機器３を直立させて置きたい時は、背蓋１の折り曲げ領域１４を電子機器３の背部に向かって折り曲げることで、折り曲げ領域１４を、電子機器３が直立に置かれた時の支えとして用いることができる。それと同時に、折り曲げ領域１４の折り曲げ角度を調整することで、電子機器３を直立させて置く時の傾斜角度を制御することができる。
【符号の説明】
【００１６】
１      背蓋              
１１    側壁
１２    折線            
１３    固定領域
１４    折り曲げ領域          
１５    第一係合部
１６    第二係合部      
１７    補助係合部
１８    磁性部材        
１９    開孔
２      遮蔽片          
２１    係合溝
３      電子機器
【図１】
0003174929.tif 000003
【図２】
0003174929.tif 000004
【図３】
0003174929.tif 000005
【図４】
0003174929.tif 000006
【図５】
0003174929.tif 000007
【図６】
0003174929.tif 000008
【図７】
0003174929.tif 000009